(57)【要約】【課題】箱体等を構成するに際し、コーナー部の側壁の重ね合せ部を係止具で縫うように保持する。これにより、取り扱い上の不具合がなく、リターナブル化容易な梱包材を提供する。【解決手段】  面状紙体１の４辺を立ち上げて側壁１２、１３とすると共に、該側壁１２、１３が互いに隣接する隅部をその一方の側壁１３端部と他方の側壁１２に延設形成した重ね合せ片１６とを重ね合せ、該折り重ね部において、該側壁１３端部と該重ね合せ片１６とに連通する平行な上下開口部１９、２０を設けると共に、組立てた後の箱体の側壁１３外方から上方開口部１９を経て後方の重ね合せ片１６の裏面を通り、下方開口部２０より側壁１３の表面に至る係止具２を差込むことで箱体等を形成してなるリターナブル化容易な梱包材。【選択図】図４
2007055616.tif 000002
【特許請求の範囲】
【請求項１】
箱体等を構成する面状紙体の周囲４辺を立ち上げて側壁とすると共に、該側壁が互いに隣接する隅部をその一方の側壁端部と他方の側壁に延設形成した重ね合せ片とを重ね合せ、該折り重ね部において、該側壁端部と該重ね合せ片とに連通する平行な二本の開口部を設けると共に、組立てた後の箱体の側壁外方から上方開口部を経て後方の重ね合せ片の裏面を通り、下方開口部より側壁の表面に至る係止具を差込むことで箱体等を形成してなるリターナブル化容易な梱包材。
【請求項２】
係止具は上端部が側方に突出した概略Ｔ字型である請求項１記載のリターナブル化容易な梱包材。
【請求項３】
係止具は薄くかつ剛性の高い材質で形成されている請求項１記載のリターナブル化容易な梱包材。
【発明の詳細な説明】
【技術分野】
【０００１】
本発明は、梱包材としての箱体等、特に、ダンボールや厚紙を用いて構成される箱体等のコーナー部における側壁端部の重ね合せ部分が結合されるリターナブル化容易な梱包材に関するものである。
【背景技術】
【０００２】
梱包材として使用されるダンボールや厚紙の多くは箱体として使用されている。しかし、この種の箱体は資源としての有効利用やリターナブルをする上で各種の問題がある。
【０００３】
たとえば、ダンボール等の面状紙体に凹凸状の形成を行い嵌め合いによって箱体を形成する方法は、面状紙体のみで箱体が構成されるのでリターナブル性に優れたものであるが、凹凸を形成するのにその形状によっては紙体のロスが生じる可能性がある。さらに、嵌め合いによる箱体は、倉庫や生産工程の保管やピッキング作業時に梱包体同士の引っ掛り等の不具合が生じることがある。
【０００４】
一方、ステープラやベルクロテープといった結合材を用いるものは、箱体を形成する際に出るロスは少ないものであるが、リターナブルするときにこれら結合材を取り除く必要があり、リターナブル化するのに余計なコストや工程が要求される。
【特許文献１】実開平５−５４２３８号公報（第２頁、図２）
【発明の開示】
【発明が解決しようとする課題】
【０００５】
上記特許文献１に記載されているものは、デスクトレイや箱体のコーナー部の側壁端部の重ね合せ部を相互に止着するのに用いられるジョイント部材に関するものである。
【０００６】
この方法は、ジョイントの製作と使用の容易化および組立作業の向上を図ったものである。即ちこの方法は二つの貫通穴に跨り雌片と雄片とを係合させるものであり、箱体を構成するには効果的なものである。しかし、この方法では、リターナブル性が考慮されていないものである。本願発明は箱体を構成するのが簡単であり、かつリターナブル化も容易な箱体等の梱包材を提供するものである。
【課題を解決するための手段】
【０００７】
上記課題を解決するために、本発明に係るリターナブル化容易な梱包体の第一の特徴構成は、請求項１に記載した如く、箱体等を構成する面状紙体の周囲４辺を立ち上げて側壁とすると共に、該側壁が互いに隣接する隅部をその一方の側壁端部と他方の側壁に延設形成した重ね合せ片とを重ね合せ、該折り重ね部において、該側壁端部と該重ね合せ片とに連通する平行な二本の開口部を設けると共に、組立てた後の箱体の側壁の外方から上方開口部を経て後方の重ね合せ片の裏面を通り、下方開口部より側壁の表面に至る係止具を差込むことで箱体等を形成してなる点にある。
【０００８】
同第二の特徴構成は、請求項２に記載した如く、第一の特徴構成に加えて、係止具は上端部が側方に突出した概略Ｔ字型である点にある。
【０００９】
同第三の特徴構成は、請求項３に記載した如く、第一の特徴構成に加えて、係止具は薄くかつ剛性の高い材質で形成されている点にある。
【発明の効果】
【００１０】
請求項１に記載のリターナブル化容易な梱包材は前記構成であり、箱体を構成する面状紙体は方形に切断されて供給されるので、箱体を構成するに際しロスの生じる割合が小さい。また係止具を差込むことで箱体が簡単に構成でき、係止具を抜き取ることで箱体が一枚の面状紙体になるのでリターナブル化することが容易になる。
【００１１】
請求項２に記載のリターナブル化容易な梱包材は前記構成であり、係止具の上端部が両側に突出した概略Ｔ字型であるため、差込みが容易でしかも開口部から脱落することがない。
【００１２】
請求項３に記載のリターナブル化容易な梱包材は前記構成であり、係止具が薄くかつ剛性の高いものであるから箱体の構成が容易であり、箱体より出っ張らないので保管や運搬に際して梱包体同志が引っ掛ることがない。
【発明を実施するための最良の形態】
【００１３】
以下、本発明の実施形態について図面を参照して、詳細に説明する。図１は本発明に係る箱体等を形成する面状紙体を示す平面図であり、１はダンボールや厚紙といった面状紙体である。１１は箱体となったときの底部であり、１２および１３は箱体となったときの側壁、１６は側壁１２側に形成した重ね合せ片であり該重ね合せ片１６と側壁１３との間には切れ目１４が設けられている。
【００１４】
側壁１２と底部１１との間に折れ曲げ線１５があり、その両端には上記重ね合せ片１６が形成されている。側壁１２と重ね合せ片１６との間には、折れ曲げ線１７が設けられている。他方の側壁１３は箱体の底部１１と同じ長さであり、底部１１との間には折れ曲げ線１８が設けられている。
【００１５】
１９は、折れ曲げ線１５、１８に沿って面状紙体１を折り曲げて側壁１２、１３を形成するときに、係止具２（図３参照）を挿通する上方開口部であり、２０は同様の下方開口部である。この上下二本の開口部１９、２０は重ね合せ片１６および重ね合せ片１６に接する側壁１３の端部内方に設けられる。
【００１６】
図２は、図１の面状紙体１を折れ曲げ線１５、１８に沿って折り曲げて側壁１２、１３を立ち上げたときの斜視図であり、側壁１３と重ね合せ片１６とに設けられた上下開口部１９、２０は、その位置および形状さらにその大きさが一致するものである。そのために上下開口部１９、２０のそれぞれが側壁１３と重ね合せ片１６を連通するように形成される。
【００１７】
図３に示すものは本発明で用いられる係止具２であり、該係止具２は板状体よりなる挿入脚片２１とその上部左右に形成した突出片２２とからなる概略Ｔ字型の形状をしており、薄くかつ剛性に富んだプラスチック等で構成されている。挿入脚片２１は差込みが容易になるように下方に行くに従い細くなるように形成されている。
【００１８】
図4は箱体の角部を示す部分拡大斜視図であり、側壁１２の端部に形成された重ね合せ片１６が側壁１３の内側に位置するように折り曲げ線１７に沿って折り曲げられ、その前面に側壁１３が位置するように立ち上げられる。この重ね合せ片１６とその前面に位置する側壁１３との上下開口部１９、２０はその位置、形状、大きさが一致するものであり、この上方開口部１９から係止具２の挿入脚片２１を表面より挿入し、重ね合せ片１６の裏面を経て下方開口部２０より側壁１３の表面に至るように差し込まれる。
【００１９】
係止具２は薄くかつ剛性に富むので、上方開口部１９から差し込むのは容易である。係止具２はその上端に横方向への突出片２２を有するため、差し込みを行っても係止具２全体が差し込まれることはなく、また抜け落ちることもない。
【００２０】
このように側壁１２、１３によって形成される箱体の角部は、図５に示されるように、側壁１２と重ね合せ片１６とが係止具２によって縫われたように結合され箱体が形成される。得られた箱体はその角部が係止具２により保持されて、箱体の側壁１２、１３を強固に固定するので、梱包材として使用されることが可能となる。係止具２における箱体の外側面の突出量は僅かであり、該箱体の保管や運搬時に引掛り等の発生が防止される。
【００２１】
使用後不要となった箱体は、係止具２を抜き取るだけの簡単な作業で、図１に示す面状紙体１の形に戻すことができるので運搬も容易となり、従来の折り畳んで組み立てる箱体のようにリターナブル化に際して、金具やテープといった紙状物以外の不純物を取り除く必要もない。なお、実施例は箱体について記しているが、蓋体についても利用可能なものである。また係止具2は、実施例とは逆に箱体の内方から差込んでも良いものである。
【図面の簡単な説明】
【００２２】
【図１】本発明に係る面状紙体を示す平面図である。
【図２】面状紙体を折り曲げて側壁を立ち上げた状態を示す斜視図である。
【図３】係止具の平面図である。
【図４】箱体の角部の概要を示す部分拡大斜視図である。
【図５】図４のＡ−Ａ線の部分断面図である。
【符号の説明】
【００２３】
１      面状紙体
１１    箱体を形成する底部
１２    重ね合せ片を有する側壁
１３    箱体を形成する側壁
１４    側壁と重ね合せ片との間に設けた切れ目
１５    重ね合せ片を有する側壁と底部との間の折れ曲げ線
１６    重ね合せ片
１７    側壁と重ね合せ片との間の折れ曲げ線
１８    側壁と底部との間の折れ曲げ線
１９    上方開口部
２０    下方開口部
２      係止具
２１    挿入脚片
２２    係止具の上辺の突出片
【図１】
2007055616.tif 000003
【図２】
2007055616.tif 000004
【図３】
2007055616.tif 000005
【図４】
2007055616.tif 000006
【図５】
2007055616.tif 000007